(57)【要約】【課題】屋内空間と空調空気経路との圧力差や空調空気の温度に関わらず、空調能力を維持できる空調家具を提供する。【解決手段】空調家具１０は、屋内空間に設置される家具本体１２と、家具本体１２に設けられた空気室３２と、屋内空間より高圧とされた建物の空調空気経路から空気室３２へ空調空気を供給する第一供給口（供給口３６Ａ）と、空気室３２から屋内空間へ空調空気を吹出す吹出口３４と、供給口３６Ａに設けられた第一送風装置（送風装置４０Ａ）と、屋内空間と空調空気経路との圧力差及び空調空気の温度の少なくとも一方に基づき送風装置４０Ａによる送風量を制御する制御装置と、を備えている。【選択図】図２
2020204417.tif 000002
【特許請求の範囲】
【請求項１】
屋内空間に設置される家具本体と、
前記家具本体に設けられた空気室と、
前記屋内空間より高圧とされた建物の空調空気経路から前記空気室へ空調空気を供給する第一供給口と、
前記空気室から前記屋内空間へ前記空調空気を吹出す吹出口と、
前記第一供給口に設けられた第一送風装置と、
前記屋内空間と前記空調空気経路との圧力差及び前記空調空気の温度の少なくとも一方に基づき前記第一送風装置による送風量を制御する制御装置と、
を備えた空調家具。
【請求項２】
前記吹出口から吹出される空調空気の空調強度を設定可能な入力装置を備え、
前記制御装置は、前記入力装置の設定値に基づき前記第一送風装置による送風量を制御する、
請求項１に記載の空調家具。
【請求項３】
前記第一送風装置は、前記第一供給口を開閉可能なシャッター及びファンを備えている、請求項１又は請求項２に記載の空調家具。
【請求項４】
前記屋内空間から前記空気室へ屋内空気を供給する第二供給口と、
前記第二供給口に設けられた第二送風装置と、
を備え、
前記屋内空間と前記空調空気経路との圧力差及び前記空調空気の温度の少なくとも一方に基づき前記第二送風装置による送風量を制御する、
請求項１〜請求項３の何れか１項に記載の空調家具。
【発明の詳細な説明】
【技術分野】
【０００１】
本発明は、空調家具に関する。
【背景技術】
【０００２】
下記特許文献１には、建物の床から吹出した空気を椅子内部の空気流通部に取り込み、当該空気を着座面及び背もたれ面から外部に向けて吹出す空調用椅子が記載されている。これにより着座者は空調効果を得ることができる。
【先行技術文献】
【特許文献】
【０００３】
【特許文献１】特開２０１１−８５２９２号公報
【発明の概要】
【発明が解決しようとする課題】
【０００４】
上記特許文献１の空調用椅子においては、車輪部分を覆うカバーを床面に当接させることで、床から吹出した空調空気がカバー内及び椅子内部の空気流通部へ供給される。しかし、床下の給気チャンバと床上の屋内空間との圧力差が変動すると、空気流通部へ供給される空調空気量が変動する。このため空調効果が変動する。また、空調空気の温度が変動しても、空調効果が変動する。すなわち、空調効果を維持することが難しい。
【０００５】
本発明は、上記事実を考慮して、屋内空間と空調空気経路との圧力差又は空調空気の温度に関わらず、空調能力を維持できる空調家具を提供することを目的とする。
【課題を解決するための手段】
【０００６】
請求項１の空調家具は、屋内空間に設置される家具本体と、前記家具本体に設けられた空気室と、前記屋内空間より高圧とされた建物の空調空気経路から前記空気室へ空調空気を供給する第一供給口と、前記空気室から前記屋内空間へ前記空調空気を吹出す吹出口と、前記第一供給口に設けられた第一送風装置と、前記屋内空間と前記空調空気経路との圧力差及び前記空調空気の温度の少なくとも一方に基づき前記第一送風装置による送風量を制御する制御装置と、を備えている。
【０００７】
請求項１の空調家具においては、建物の空調空気経路から、空調家具の空気室を介して、空調空気が屋内空間へ吹出される。空調空気は、第一送風装置が設けられた第一供給口から空気室へ供給される。このとき制御装置が、屋内空間と空調空気経路との圧力差及び空調空気の温度の少なくとも一方に基づき第一送風装置による送風量を制御する。
【０００８】
一例として、屋内空間と空調空気経路との圧力差が小さい場合は、圧力差が大きい場合と比較して、空調空気経路から空気室へ空調空気が供給され難くなる。このとき制御装置は、第一送風装置による送風量を大きくする。これにより空調能力を保つことができる。
【０００９】
別の一例として、空調空気の温度が高い場合は、低い場合と比較して、同じ量の空調空気による「冷房」能力が低くなる。このとき制御装置は、第一送風装置による送風量を大きくして、空気室へ供給される空調空気量を増やす。これにより冷房能力を保つことができる。
【００１０】
また別の一例として、空調空気の温度が低い場合は、高い場合と比較して、同じ量の空調空気による「暖房」能力が低くなる。このとき制御装置は、第一送風装置による送風量を大きくして、空気室へ供給される空調空気量を増やす。これにより暖房能力を保つことができる。
【００１１】
このように、請求項１の空調家具においては、屋内空間と空調空気経路との圧力差や空調空気の温度に関わらず、空調能力を維持できる。
【００１２】
請求項２の空調家具は、請求項１に記載の空調家具において、前記吹出口から吹出される空調空気の空調強度を設定可能な入力装置を備え、前記制御装置は、前記入力装置の設定値に基づき前記第一送風装置による送風量を制御する。
【００１３】
請求項２の空調家具では、入力装置によって吹出口から吹出される空調空気の空調強度を設定することができる。これにより空調家具の利用者は、任意の空調強度による温熱環境を得ることができる。
【００１４】
請求項３の空調家具は、請求項１又は請求項２に記載の空調家具において、前記第一送風装置は、前記第一供給口を開閉可能なシャッター及びファンを備えている。
【００１５】
請求項３の空調家具では、第一送風装置がシャッター及びファンを備えている。シャッターの開度を調整することで、第一供給口を通る空調空気量を調整できる。また、ファンの回転数を調整することで、第一供給口を通る空調空気量を調整しつつ電力を節約できる。さらに、シャッターの開度及びファンの回転数を調整することで、第一供給口を通る空調空気量を細かく調整できる。
【００１６】
請求項４の空調家具は、請求項１〜請求項３の何れか１項に記載の空調家具において、前記屋内空間から前記空気室へ屋内空気を供給する第二供給口と、前記第二供給口に設けられた第二送風装置と、を備え、前記屋内空間と前記空調空気経路との圧力差及び前記空調空気の温度の少なくとも一方に基づき前記第二送風装置による送風量を制御する。
【００１７】
請求項４の空調家具では、第二送風装置によって、第二供給口を介して屋内空間から空気室へ屋内空気が供給される。このため、空気室内で空調空気と屋内空気とが混合される。これにより、第二送風装置及び第二供給口が無い構成と比較して、吹出口から吹出される空気の温度を調整し易い。
【発明の効果】
【００１８】
本発明によると、屋内空間と空調空気経路との圧力差や空調空気の温度に関わらず、空調能力を維持できる。
【図面の簡単な説明】
【００１９】
【図１】本発明の実施形態に係る空調家具、空調家具が設置された屋内空間及び屋内空間の下方の床下空間を示す立断面図である。
【図２】（Ａ）は本発明の実施形態に係る空調家具の部分立断面図であり、（Ｂ）は（Ａ）におけるＢ−Ｂ線断面図である。
【図３】（Ａ）は本発明の実施形態に係る空調家具における送風装置において開口部が全閉の状態を示す斜視図であり、（Ｂ）は開口部が半開の状態を示す斜視図であり、（Ｃ）は開口部が全開の状態を示す斜視図である。
【図４】本発明の実施形態に係る空調家具の電気的な接続関係を示したブロック図である。
【図５】本発明の実施形態に係る空調家具における入力装置を示した模式図である。
【図６】（Ａ）は本発明の実施形態に係る空調装置の運転テーブルをテーブルＡに設定した場合における送風装置の設定値を示した表であり、（Ｂ）はテーブルＢに設定した場合における送風装置の設定値を示した表であり、（Ｃ）はテーブルＣに設定した場合における送風装置の設定値を示した表であり、（Ｄ）はテーブルＤに設定した場合における送風装置の設定値を示した表である。
【発明を実施するための形態】
【００２０】
以下、本発明の実施形態に係る空調家具について、図面を参照しながら説明する。各図面において同一の符号を用いて示される構成要素は、同一の構成要素であることを意味する。また、各図面において重複する構成及び符号については、説明を省略する場合がある。なお、本発明は以下の実施形態に限定されるものではなく、本発明の目的の範囲内において構成を省略する、又は異なる構成と入れ替える等、適宜変更を加えて実施することができる。
【００２１】
＜空調家具＞
本発明の実施形態に係る空調家具１０は、図１に示すように、家具本体１２と、家具本体１２と一体的に形成された空調装置３０（図２（Ａ）参照）と、入力装置５０と、制御装置６０と、を備えている。空調家具１０は、オフィス等の屋内空間Ｖ１に設置され、当該屋内空間Ｖ１に滞在する利用者が、執務、会議、談話等の際に座って利用できる椅子状の家具である。
【００２２】
屋内空間Ｖ１の下には床材Ｆによって仕切られた床下空間Ｖ２が形成されている。床下空間Ｖ２は建物の空調空気経路とされ、床下空間Ｖ２には空調機７０によって調温された空調空気が流れている。空調空気は、図１に矢印Ｗで示すように、床下空間Ｖ２から（床材Ｆに形成された吹出し口ＦＷから）屋内空間Ｖ１へ吹出される。床下空間Ｖ２は、空調機７０の作動時、屋内空間Ｖ１に対して正圧（屋内空間Ｖ１より高圧）とされている。
【００２３】
＜家具本体＞
家具本体１２は、対向配置された一対の座部１４と、これらの座部１４の外端部同士を連結する円環状のアーチ部１６と、を備えている。なお、それぞれの座部１４において対向する側とは反対側の端部を「外端部」と称す。
【００２４】
座部１４には、着座可能な座面１４Ａが形成されている。座面１４Ａは、略水平面とされているが、適宜傾斜をつけることもできる。アーチ部１６において、それぞれの座部１４との接続部分には、背もたれ１６Ａが形成されている。２つの背もたれ１６Ａは、天蓋１６Ｂによって連結されている。なお、背もたれ１６Ａは座面１４Ａからみて凹状面として形成されているが、凸状面や平坦面としてもよい。
【００２５】
図２（Ａ）、（Ｂ）に示すように、座面１４Ａ及び背もたれ１６Ａの裏側には、クッション材１８が配置されている。クッション材１８は、２種類の弾性材料１８Ａ、１８Ｂによって形成されている。なお、図２（Ａ）においては対向配置された一対の座部１４のうち、一方の座部１４のみを示しており他方の座部１４は省略しているが、他方の座部１４におけるクッション材１８及び後述する空調装置３０の構成は同様である。
【００２６】
クッション材１８において表面側の弾性材料１８Ａは、繊維方向が表側から裏側に向かう方向に沿う不織布によって形成されている。このため、繊維方向が例えば座面１４Ａ及び背もたれ１６Ａに沿う不織布を用いる場合と比較して、反発力を得易く、また厚みを大きくし易く、さらに通気性を確保し易い。
【００２７】
一方、弾性材料１８Ｂは、有機繊維が三次元状に絡み合うように形成され、有機繊維間に隙間が形成されたシート材である。弾性材料１８Ｂは、有機繊維の弾性力によりクッション性を備え、また、有機繊維間の隙間により、弾性材料１８Ａより通気性が高い。
【００２８】
クッション材１８の表面には、表皮材２０が配置されている。表皮材２０は繊維を編み込んで形成され、通気性を備えている。表皮材２０は、座面１４Ａ、背もたれ１６Ａ及び天蓋１６Ｂに亘って連続して配置されている。
【００２９】
＜空調装置＞
空調装置３０は、家具本体１２に組み込まれ、着座者周辺の空気環境を調整するための設備機器である。空調装置３０は、空気室３２と、吹出口３４と、供給口３６（供給口３６Ａ、３６Ｂ、３６Ｃ）と、送風装置４０（送風装置４０Ａ、４０Ｂ、４０Ｃ）と、を備えている。
【００３０】
（空気室、吹出口）
空気室３２は、家具本体１２において、座面１４Ａ及び背もたれ１６Ａの裏側に形成された空間である。吹出口３４は、家具本体１２において、空気室３２から家具本体１２の外部へ向って空気を吹出す送風用の開口部である。
【００３１】
吹出口３４から吹出した空気は、座面１４Ａ及び背もたれ１６Ａの背面に位置するクッション材１８並びに座面１４Ａ及び背もたれ１６Ａの表面に位置する表皮材２０を通って家具本体１２の外部へ吹出される。すなわち吹出口３４は、着座者と接する位置又は近接する位置から、着座者（主に背中や臀部、足元）へ向って空気を吹出す吹出口である。
【００３２】
なお、図２（Ａ）、（Ｂ）に示した吹出口３４の大きさは一例であり、それぞれ小さな開口部とすることができる。例えばパンチングメタルやグレーチング状の有孔材料を用いて形成してもよい。
【００３３】
（供給口）
供給口３６は、家具本体１２において、空気室３２へ向って空気を供給する送風用の開口部である。供給口３６のうち、供給口３６Ａ、３６Ｂは、本発明における第一供給口の一例であり、建物の床下空間Ｖ２へ開放されている。すなわち、床下空間Ｖ２の吹出し口ＦＷと対応する位置に、供給口３６Ａ、３６Ｂが形成されている。上述したように、床下空間Ｖ２は屋内空間に対して正圧とされている。このため、供給口３６Ａ、３６Ｂからそれぞれ空気室３２へ、調温された空気が連続的に供給可能とされている。
【００３４】
供給口３６のうち、供給口３６Ｃは、本発明における第二供給口の一例であり、建物の屋内空間Ｖ１へ開放されている。屋内空間Ｖ１は、空気室３２と等圧以下とされている。このため、供給口３６Ｃからそれぞれ空気室３２へ空気を供給するためには、機械的な動力（後述する送風装置４０Ｃ）を必要とする。
【００３５】
（送風装置）
送風装置４０は、供給口３６に取り付けられ、空気室３２へ供給される空気量を調整する機構である。供給口３６Ａ、３６Ｂ、３６Ｃに取付けられた送風装置４０を、それぞれ送風装置４０Ａ、４０Ｂ、４０Ｃとする。このうち、送風装置４０Ａ、４０Ｂは本発明における第一送風装置の一例であり、送風装置４０Ｃは本発明における第二送風装置の一例である。なお、図２（Ａ）、（Ｂ）においては、供給口３６及び送風装置４０を、供給口３６Ａ、３６Ｂ、３６Ｃ及び送風装置４０Ａ、４０Ｂ、４０Ｃと表記している。
【００３６】
図３（Ａ）〜（Ｃ）に示すように、送風装置４０（送風装置４０Ａ、４０Ｂ、４０Ｃ）は、筒状の本体部４２と、面内方向が本体部４２の筒軸方向と略直交するように配置され開口部４４Ａが形成された開口板４４と、開口部４４Ａを開閉可能なシャッターとしての開閉板４６と、ファン４８と、を備えている。
【００３７】
開閉板４６は、図示しないモーター等の動力源によって面内方向に沿って回転可能とされ、開口部４４Ａを開閉できる。なお、図３（Ａ）は開口部４４Ａが全閉の状態で、図３（Ｂ）は開口部４４Ａが半開の状態で、図３（Ｃ）は開口部４４Ａが全開の状態である。なお、送風装置４０Ａ、４０Ｂ、４０Ｃにおけるそれぞれの開閉板４６は、制御装置６０によって、開閉量を個別に制御することができる。
【００３８】
ファン４８は、図示しないモーター等の動力源によって回転可能とされ、開口部４４Ａの外側（図３（Ａ）におけるＯＵＴ方向）から内側（ＩＮ方向）へ空気を通過させることができる。送風装置４０Ａ、４０Ｂ、４０Ｃにおけるそれぞれのファン４８は、制御装置６０によって、回転量を個別に制御することができる。
【００３９】
このように、開閉板４６及びファン４８は制御装置６０によって制御され、開口部４４Ａの内側へ通過させる空気量を制御することができる。
【００４０】
図２（Ａ）に示すように、送風装置４０Ａ、４０Ｂをそれぞれ供給口３６Ａ、３６Ｂへ取り付けることにより、建物の空調空気経路（床下空間Ｖ２）から空気室３２に供給される空調空気量を調整できる。同様に、送風装置４０Ｃを供給口３６Ｃへ取り付けることにより、空気室３２に供給される屋内空気量を調整できる。
【００４１】
なお、以下の説明においては、送風装置４０Ａにおける開閉板４６及びファン４８を、それぞれ開閉板４６Ａ及びファン４８Ａと称す。同様に、送風装置４０Ｂにおける開閉板４６及びファン４８を、それぞれ開閉板４６Ｂ及びファン４８Ｂと称し、送風装置４０Ｃにおける開閉板４６及びファン４８を、それぞれ開閉板４６Ｃ及びファン４８Ｃと称す。
【００４２】
＜入力装置＞
入力装置５０は、吹出口３４（図２（Ａ）、（Ｂ）参照）から吹出される空調空気の空調強度を設定する電子機器である。入力装置５０は、図１に示すように、空調家具１０の利用者が携行する携帯端末に備えられている。利用者は携帯端末を操作することで、当該携帯端末を入力装置５０として使用することができる。
【００４３】
利用者は、携帯端末を入力装置５０として使用する際、図５に示すように表示画面に表示された表示メニューを選択することで、後述する制御装置６０へ電気信号を送信することができる。なお、入力装置５０は空調家具１０に備え付けられていてもよい。
【００４４】
表示画面に表示される表示メニューとしては、一例として、座席選択ボタン５２、電源ボタン５４、モード選択ボタン５６がある。
【００４５】
座席選択ボタン５２は、制御対象とする空調家具１０を選択するためのボタンである。座席選択ボタン５２は、屋内空間Ｖ１に空調家具１０が複数台設置されている場合に設けられる。
【００４６】
電源ボタン５４は、座席選択ボタン５２によって選択された空調家具１０における空調装置３０の運転開始及び運転停止を選択するためのボタンである。電源ボタン５４によって空調装置３０の運転停止が選択された場合、開閉板４６は全閉状態とされ（図３（Ａ）参照）、ファン４８は回転が停止される。
【００４７】
モード選択ボタン５６は、吹出口３４（図２（Ａ）、（Ｂ）参照）から吹出される空調空気の空調強度を設定するためのボタンである。本実施形態においては、「微」、「弱」、「中」、「強」の４モードのなかから任意の運転モードを選択することができる。
【００４８】
＜制御装置＞
図１に示すように、制御装置６０は、空調装置３０、入力装置５０、屋内空間Ｖ１と床下空間Ｖ２との差圧を測定する差圧計６２、屋内空間Ｖ１の温度を測定する温度計６４及び空調空気の温度を測定する温度計６６と、電気的に繋がれている。
【００４９】
制御装置６０と空調装置３０との接続についてさらに詳述すると、図４に示すように、制御装置６０は、送風装置４０Ａにおける開閉板４６Ａ及びファン４８Ａ、送風装置４０Ｂにおける開閉板４６Ａ及びファン４８Ａ並びに送風装置４０Ｃにおける開閉板４６Ｃ及びファン４８Ｃと、有線又は無線で電気的に接続されている。
【００５０】
制御装置６０は、差圧計６２によって測定される屋内空間Ｖ１と空調空気経路（床下空間Ｖ２）との圧力差、及び、温度計６６によって測定される空調空気の温度の「双方」に基づき、第一送風装置（送風装置４０Ａ及び送風装置４０Ｂ）による送風量及び第二送風装置（送風装置４０Ｃ）による送風量を制御する。
【００５１】
また、制御装置６０は、入力装置５０の設定値に基づき、第一送風装置（送風装置４０Ａ及び送風装置４０Ｂ）による送風量及び第二送風装置（送風装置４０Ｃ）による送風量を制御する。
【００５２】
＜制御方法＞
制御装置６０による送風装置４０Ａ、４０Ｂ、４０Ｃの制御方法について説明する。制御装置６０は、差圧計６２及び温度計６６から断続的に情報を取得する。具体的には、差圧計６２が屋内空間Ｖ１と空調空気経路（床下空間Ｖ２）との圧力差（「圧力差情報」）を断続的に測定（取得）して、この圧力差情報を、制御装置６０へ送信する。また、温度計６６が空調機７０から供給される空調空気の温度（「温度情報」）を断続的に測定（取得）して、この温度情報を、制御装置６０へ送信する。
【００５３】
制御装置６０は、取得した「圧力差情報」及び「温度情報」に基づき、空調装置３０の「運転テーブル」を選択する。また、選択された運転テーブルに基づいて、送風装置４０Ａ、４０Ｂ、４０Ｃを制御する。運転テーブルは、一例として、図６（Ａ）〜（Ｄ）に示したテーブルＡ、テーブルＢ、テーブルＣ、テーブルＤに分類される。テーブルＡ〜Ｄの分類は、以下の条件によって決定される。なお、テーブルＡ〜Ｄは、冷房時の分類である。
【００５４】
テーブルＡ：圧力差が０Ｐａ以上１５Ｐａ未満、かつ、温度が１８℃以上２０℃未満
テーブルＢ：圧力差が１５Ｐａ以上３６Ｐａ未満、かつ、温度が１８℃以上２０℃未満
テーブルＣ：圧力差が０Ｐａ以上１５Ｐａ未満、かつ、温度が２０℃以上
テーブルＤ：圧力差情報が１５Ｐａ以上３６Ｐａ未満、かつ、温度が２０℃以上
【００５５】
運転テーブルの分類は任意の方法を採用することができるが、本実施形態においては、空調空気の設定温度が２０℃未満の場合において、テーブルＡ、Ｂが設定される。一方、空調空気の設定温度が２０℃以上の場合において、テーブルＣ、Ｄが設定される。テーブルＡ、Ｂが設定される場合は、テーブルＣ、Ｄが設定される場合と比較して空調空気の設定温度が低い。このため、テーブルＡ、Ｂは、「空調空気の温度に依る冷房能力」が高い場合に設定されるテーブルである。
【００５６】
また、屋内空間Ｖ１と床下空間Ｖ２との圧力差が１５Ｐａ未満の場合において、テーブルＡ、Ｃが設定される。一方、屋内空間Ｖ１と床下空間Ｖ２との圧力差が１５Ｐａ以上の場合において、テーブルＢ、Ｄが設定される。テーブルＢ、Ｄが設定される場合は、テーブルＡ、Ｃが設定される場合と比較して、屋内空間Ｖ１と床下空間Ｖ２との圧力差が大きく、空調空気は床下空間Ｖ２から屋内空間Ｖ１へ吹き上げ易い。このため、テーブルＢ、Ｄは、「屋内空間Ｖ１と床下空間Ｖ２との圧力差に依る冷房能力」が高い場合に設定されるテーブルである。
【００５７】
なお、空調機７０から供給される空調空気の温度は、温度計６４（図１参照）によって測定された屋内空間Ｖ１の温度に応じて、制御装置６０又は別の機器に組み込まれた温度設定プログラム、屋内空間Ｖ１の利用者若しくは建物の管理センターなどによって設定される。
【００５８】
制御装置６０は、差圧計６２及び温度計６６によって測定された情報に加え、利用者によって入力装置５０に入力された情報を随時取得する。具体的には、図５に示す入力装置５０の座席選択ボタン５２に入力された情報によって、制御対象とする空調家具１０を特定する情報（「制御対象情報」）を取得する。また、電源ボタン５４に入力された情報によって、制御対象とされた空調家具１０における空調装置３０の運転を開始するか停止するかを特定する情報（「電源情報」）を取得する。さらに、モード選択ボタン５６に入力された情報によって、空調装置３０を「微」、「弱」、「中」、「強」の何れの運転モードに設定するかを特定する情報（「運転モード情報」）を取得する。
【００５９】
制御装置６０は、取得した「制御対象情報」、「「電源情報」」及び「運転モード情報」に基づき、制御対象とされた空調家具１０における空調装置３０の運転を開始し、「運転モード」を設定する。又は、制御装置６０は、運転中の空調装置３０の「運転モード」を設定する。あるいは、運転中の空調装置３０の運転を停止する。
【００６０】
運転モード「微」、「弱」、「中」、「強」における送風装置４０Ａ、４０Ｂ、４０Ｃの設定値は、図６（Ａ）〜（Ｄ）に示したテーブルＡ、テーブルＢ、テーブルＣ、テーブルＤ毎に決められている。
【００６１】
なお、図６（Ａ）〜（Ｄ）における「close」との記載は、開閉板４６Ｃによって開口部４４Ａが全閉状態とされていることを示している。これらの各図における「１／３」、「２／３」との記載は、それぞれの開閉板４６（開閉板４６Ａ、４６Ｂ、４６Ｃ）による開口部４４Ａの開口割合（開口部４４Ａが全開状態（図３（Ｃ）参照）における開口面積に対する割合）を示している。これらの各図における「全開」との記載は、開口部４４Ａが全開状態であることを示している。なお、開閉板４６の開口割合は「close」、「１／３」、「２／３」、「全開」に限らず、適宜設定することができる。
【００６２】
また、図６（Ａ）〜（Ｄ）における「ＯＦＦ」との記載は、それぞれのファン４８（ファン４８Ａ、４８Ｂ、４８Ｃ）が停止していることを示している。なお、ファン４８Ａ、４８Ｂが停止している状態においても、屋内空間Ｖ１と床下空間Ｖ２との圧力差によって、床下空間Ｖ２から空気室３２へ空調空気が流入する。これらの各図における「弱」との記載は、それぞれのファン４８が弱強度で運転していることを示している。同様に、これらの各図における「中」との記載は、それぞれのファン４８が中強度で運転していることを示している。これらの各図における「強」との記載は、それぞれのファン４８が強強度で運転していることを示している。
【００６３】
「弱強度」、「中強度」、「強強度」とは、それぞれファン４８の単位時間あたりの回転数によって規定され、「弱強度」と比較して「中強度」におけるファン４８の回転数が多く、「中強度」と比較して「強強度」におけるファン４８の回転数が多い。
【００６４】
例えば図６（Ａ）に示したテーブルＡにおいては、運転モードが「微」の場合、送風装置４０Ａにおける開閉板４６Ａは開口部４４Ａを全開状態における開口面積の１／３開き、ファン４８Ａは停止する。また、送風装置４０Ｂにおける開閉板４６Ｂは開口部４４Ａを全開状態における開口面積の１／３開き、ファン４８Ｂは停止する。さらに、送風装置４０Ｃにおける開閉板４６Ｃは開口部４４Ａを全閉状態とし、ファン４８Ｃは停止する。
【００６５】
また、テーブルＡにおいて、運転モードが「弱」の場合、送風装置４０Ａにおける開閉板４６Ａは開口部４４Ａを全開状態における開口面積の２／３開き、ファン４８Ａは停止する。また、送風装置４０Ｂにおける開閉板４６Ｂは開口部４４Ａを全開状態における開口面積の２／３開き、ファン４８Ｂは停止する。さらに、送風装置４０Ｃにおける開閉板４６Ｃは開口部４４Ａを全開状態とし、ファン４８Ｃは弱強度で運転する。
【００６６】
さらに、テーブルＡにおいて、運転モードが「中」の場合、送風装置４０Ａにおける開閉板４６Ａは開口部４４Ａを全開状態とし、ファン４８Ａは停止する。また、送風装置４０Ｂにおける開閉板４６Ｂは開口部４４Ａを全開状態とし、ファン４８Ｂは弱強度で運転する。さらに、送風装置４０Ｃにおける開閉板４６Ｃは開口部４４Ａを全開状態とし、ファン４８Ｃは中強度で運転する。
【００６７】
またさらに、テーブルＡにおいて、運転モードが「強」の場合、送風装置４０Ａにおける開閉板４６Ａは開口部４４Ａを全開状態とし、ファン４８Ａは弱強度で運転する。また、送風装置４０Ｂにおける開閉板４６Ｂは開口部４４Ａを全開状態とし、ファン４８Ｂは弱強度で運転する。さらに、送風装置４０Ｃにおける開閉板４６Ｃは開口部４４Ａを全開状態とし、ファン４８Ｃは強強度で運転する。
【００６８】
テーブルＢ、Ｃ、Ｄにおける各運転モードにおける送風装置４０Ａ、４０Ｂ、４０Ｃの設定値については、それぞれ図６（Ｂ）、（Ｃ）、（Ｄ）に示した通りであり説明は省略する。
【００６９】
＜作用・効果＞
本発明の実施形態に係る空調家具１０においては、図２（Ａ）、（Ｂ）に示すように、建物の空調空気経路（床下空間Ｖ２）から、空調家具１０の空気室３２を介して、空調空気が屋内空間Ｖ１へ吹出される。
【００７０】
空調空気は、第一供給口の一例としての供給口３６Ａ、３６Ｂから空気室３２へ供給される。このとき図４に示す制御装置６０が、差圧計６２によって測定された「屋内空間Ｖ１と床下空間Ｖ２との圧力差」及び温度計６６によって測定された「空調空気の温度」に基づき、第一送風装置（送風装置４０Ａ及び送風装置４０Ｂの少なくとも一方）による送風量を制御する。
【００７１】
一例として、屋内空間Ｖ１と床下空間Ｖ２との圧力差が小さい場合（圧力差が０以上１５Ｐａ未満の場合）は、圧力差が大きい場合（圧力差が１５以上３６Ｐａ未満の場合）と比較して、床下空間Ｖ２から空気室３２へ空調空気が供給され難くなる。このとき制御装置６０は、第一送風装置（送風装置４０Ａ及び送風装置４０Ｂの少なくとも一方）による送風量を大きくする。
【００７２】
具体的には、空調空気の温度が１８以上２０℃未満の状態において、屋内空間Ｖ１と床下空間Ｖ２との圧力差が、１５Ｐａ以上の状態から１５Ｐａ未満に切り替わった場合、制御装置６０は、空調装置３０の運転テーブルを、図６（Ｂ）に示すテーブルＢから図６（Ａ）に示すテーブルＡに切替える。
【００７３】
このとき、例えば入力装置５０によって入力された運転モードが「中」とされている場合、送風装置４０Ａの開閉板４６Ａは、開口部４４Ａを２／３だけ開いた状態から全開状態へ変更される。また、送風装置４０Ｂの開閉板４６Ｂは、開口部４４Ａを２／３だけ開いた状態から全開状態へ切り替わる。さらに、送風装置４０Ｂのファン４８Ｂは、停止状態から弱強度の運転状態へ切り替わる。
【００７４】
これにより、第一送風装置（送風装置４０Ａ及び送風装置４０Ｂ）による送風量が大きくなる。したがって、冷房能力を保つことができる。
【００７５】
なお、入力装置５０によって入力された運転モードが「微」、「弱」、「強」とされている場合も、各テーブルＡ、Ｂにおける設定値に基づいて、第一送風装置（送風装置４０Ａ及び送風装置４０Ｂの少なくとも一方）による送風量が制御される。また、空調空気の温度が２０℃以上の場合においては、各テーブルＣ、Ｄにおける設定値に基づいて、第一送風装置（送風装置４０Ａ及び送風装置４０Ｂの少なくとも一方）による送風量が制御される。
【００７６】
別の一例として、空調空気の温度が高い場合（２０℃以上の場合）は、低い場合（１８以上２０℃未満の場合）と比較して、同じ量の空調空気による冷房能力が低くなる。このとき制御装置６０は、第一送風装置（送風装置４０Ａ及び送風装置４０Ｂの少なくとも一方）による送風量を大きくして、空気室３２へ供給される空調空気量を増やす。
【００７７】
具体的には、屋内空間Ｖ１と床下空間Ｖ２との圧力差が１５Ｐａ未満の状態
において、空調空気の温度が２０℃未満から２０℃以上に切り替わった場合、制御装置６０は、空調装置３０の運転テーブルを、図６（Ａ）に示すテーブルＡから図６（Ｃ）に示すテーブルＣに切替える。
【００７８】
このとき、例えば入力装置５０によって入力された運転モードが「中」とされている場合、送風装置４０Ａの開閉板４６Ａが開口部４４Ａを全開状態に維持したまま、ファン４８Ａの運転状態が停止状態から中強度へ切り替わる。また、送風装置４０Ｂの開閉板４６Ｂが開口部４４Ａを全開状態に維持したまま、ファン４８Ｂの運転状態が弱強度から中強度へ切り替わる。
【００７９】
これにより、第一送風装置（送風装置４０Ａ及び送風装置４０Ｂ）による送風量が大きくなる。したがって、冷房能力を保つことができる。
【００８０】
なお、入力装置５０によって入力された運転モードが「微」、「弱」、「強」とされている場合も、各テーブルＡ、Ｃにおける設定値に基づいて、第一送風装置（送風装置４０Ａ及び送風装置４０Ｂの少なくとも一方）による送風量が制御される。また、屋内空間Ｖ１と床下空間Ｖ２との圧力差が１５Ｐａ以上の場合においては、各テーブルＢ、Ｄにおける設定値に基づいて、第一送風装置（送風装置４０Ａ及び送風装置４０Ｂの少なくとも一方）による送風量が制御される。
【００８１】
このように、本発明の実施形態に係る空調家具１０においては、屋内空間Ｖ１と空調空気経路（床下空間Ｖ２）との圧力差や空調空気の温度に関わらず、空調能力を保つことができる。
【００８２】
また、本発明の実施形態に係る空調家具１０では、図１、５に示す入力装置５０によって吹出口３４から吹出される空調空気の空調強度を設定することができる。具体的には、空調家具１０の利用者が図５に示すモード選択ボタン５６を操作することで、テーブルＡ、Ｂ、Ｃ、Ｄ毎に運転モードを切替えることができる。
【００８３】
例えば、空調装置３０の運転テーブルがテーブルＡに設定されている状態において、利用者はモード選択ボタン５６を操作することで、任意の運転モード（テーブルＡにおける任意の運転モード、図６（Ａ）参照）に切替えることができる。運転モードを切替えることで、送風装置４０Ａ、４０Ｂ、４０Ｃにおける開閉板４６Ａ、４６Ｂ、４６Ｃ、ファン４８Ａ、４８Ｂ、４８Ｃの運転状態が適宜切り替わる。これにより空調家具１０の利用者は、任意の空調強度による温熱環境を得ることができる。
【００８４】
また、本発明の実施形態に係る空調家具１０では、第一送風装置（送風装置４０Ａ及び送風装置４０Ｂ）がそれぞれシャッターとしての開閉板４６Ａ、４６Ｂ及びファン４８Ａ、４８Ｂを備えている。
【００８５】
開閉板４６Ａ、４６Ｂの開度を調整することで、第一供給口（供給口３６Ａ、３６Ｂ）を通る空調空気量を調整できる。また、ファン４８Ａ、４８Ｂの回転数を調整することで、供給口３６Ａ、３６Ｂを通る空調空気量を調整しつつ電力を節約できる。さらに、開閉板４６Ａ、４６Ｂの開度及びファン４８Ａ、４８Ｂの回転数を調整することで、供給口３６Ａ、３６Ｂを通る空調空気量を細かく調整できる。
【００８６】
また、本発明の実施形態に係る空調家具１０では、第二送風装置としての送風装置４０Ｃによって、供給口３６Ｃを介して屋内空間Ｖ１から空気室３２へ屋内空気が供給される。このため、空気室３２内で空調空気と屋内空気とが混合される。これにより、送風装置４０Ｃ及び供給口３６Ｃが無い構成と比較して、吹出口から吹出される空気の温度を調整し易い。
【００８７】
なお、本発明の実施形態に係る空調家具１０では、屋内空間Ｖ１と空調空気経路（床下空間Ｖ２）との圧力差を、「０Ｐａ以上１５Ｐａ未満」及び「１５Ｐａ以上３６Ｐａ未満」の２ケースに分類している。また、空調機７０から供給される空調空気の温度を「１８℃以上２０℃未満」及び「２０℃以上」の２ケースに分類している。さらに、これらの場合分けにより制御装置６０の制御方法としてテーブルＡ、Ｂ、Ｃ、Ｄの４つの運転テーブルを設けている。しかし、本発明の実施形態はこれに限らない。
【００８８】
一例として、圧力差の閾値は１５Ｐａ、３６Ｐａに限定されない。地域、季節等に応じて適宜変更できる。同様に、温度の閾値も、１８℃、２０℃に限定されない。
【００８９】
別の一例として、圧力差の分類は２ケースに限らない。例えば３ケース以上に分類してもよい。同様に、温度も３ケース以上に分類してもよい。例えば圧力差を３ケース、温度を３ケースに分類すると、運転テーブルは９テーブル設けることができる。分類を細分化することで、冷房能力の維持効果が高くなる。
【００９０】
また別の一例として、屋内空間Ｖ１と床下空間Ｖ２との圧力差は、必ずしも測定しなくてもよい。すなわち、空調機７０から供給される空調空気の温度のみで運転テーブルを作成してもよい。同様に、空調機７０から供給される空調空気の温度は、必ずしも測定しなくてもよい。この場合、屋内空間Ｖ１と床下空間Ｖ２との圧力差のみで運転テーブルを作成する。
【００９１】
すなわち、「屋内空間Ｖ１と床下空間Ｖ２との圧力差」及び「空調機７０から供給される空調空気の温度」の少なくとも一方に基づいて運転テーブルを設ければよい。いずれの場合でも、運転テーブルを設けない場合と比較して冷房能力の維持効果を得ることができる。
【００９２】
また、本発明の実施形態に係る空調家具１０では、第一送風装置（送風装置４０Ａ、４０Ｂ）に加え第二送風装置（送風装置４０Ｃ）による送風量も制御しているが本発明の実施形態はこれに限らない。例えば第二送風装置（送風装置４０Ｃ）による送風量は制御しなくてもよい。第二送風装置（送風装置４０Ｃ）による送風量を制御しなくても、送風装置４０Ａ、４０Ｂによって空調空気の送風量が制御されるため、冷房能力を維持できる。
【００９３】
また、本発明の実施形態に係る空調家具１０では、「運転テーブル」に加え入力装置５０で入力された「運転モード」に基づいて送風装置４０Ａ、４０Ｂ、４０Ｃの送風量を制御しているが本発明の実施形態はこれに限らない。例えば入力装置５０を省略し、運転モードに基づく制御は行なわなくてもよい。運転モードに基づく制御を行なわなくても、運転テーブルに基づく制御により、冷房能力の維持効果を得ることができる。
【００９４】
また、本発明の実施形態に係る空調家具１０では、送風装置４０が開閉板４６及びファン４８を備えているが、本発明の実施形態はこれに限らない。例えば送風装置４０は開閉板４６及びファン４８の何れかのみを備えた構成とし、制御装置６０に制御させてもよい。開閉板４６及びファン４８の何れかのみを設ける構成でも、送風装置４０による送風量を調整することができる。
【００９５】
また、上記の実施形態においては、空調装置３０を「冷房」運転する場合について説明したが、本発明の実施形態はこれに限らない。すなわち空調装置３０は「暖房」運転することもできる。空調装置３０を「暖房」運転する場合の運転テーブルでは、空調機７０から供給される空調空気の温度が低い場合、高い場合と比較して送風装置４０Ａ、４０Ｂの送風量を大きくする。これにより、暖房能力の維持効果を得ることができる。
【００９６】
また、上記の実施形態においては、図２（Ａ）に示す座面１４Ａ及び背もたれ１６Ａの裏側に形成された空気室３２から吹出す空気を制御する場合について説明したが、本発明の実施形態はこれに限らない。例えば天蓋１６Ｂに形成された空気室から空気を吹出させて、この空気を制御してもよい。空気室３２から吹出す空気に加え、天蓋１６Ｂの空気室から吹出す空気を制御すれば、利用者毎の調温効果を高めることができる。
【００９７】
また、空調家具１０は、座面１４Ａ及び背もたれ１６Ａに加え天蓋１６Ｂを備えた構成としているが、本発明の実施形態はこれに限らない。例えば空調装置３０は、天蓋１６Ｂを備えない椅子、ソファ等に適用することもできる。さらには、背もたれ１６Ａも備えないベッド等に空調装置３０を適用することもできる。
【００９８】
また、上記の実施形態においては、空調空気経路が床下空間Ｖ２に形成されているが、本発明の実施形態はこれに限らない。例えば床下空間Ｖ２に配置したダクトを空調空気経路としてもよいし、建物の壁体内部や壁体内部に配置されたダクトを空調空気経路としてもよい。このように、本発明は様々な態様で実施できる。
【符号の説明】
【００９９】
１２    家具本体
３２    空気室
Ｖ１    屋内空間
３４    吹出口
３６Ａ  供給口（第一供給口）
３６Ｂ  供給口（第一供給口）
３６Ｃ  供給口（第二供給口）
４０Ａ  送風装置（第一送風装置）
４０Ｂ  送風装置（第一送風装置）
４０Ｃ  送風装置（第二送風装置）
４６Ａ  開閉板（シャッター）
４６Ｂ  開閉板（シャッター）
４８Ａ  ファン
４８Ｂ  ファン
５０    入力装置
６０    制御装置
Ｖ２    床下空間（空調空気経路）
【図１】
2020204417.tif 000003
【図２】
2020204417.tif 000004
【図３】
2020204417.tif 000005
【図４】
2020204417.tif 000006
【図５】
2020204417.tif 000007
【図６】
2020204417.tif 000008